(57)【特許請求の範囲】
【請求項１】
開口を有する有底筒状の器具本体と、
前記器具本体の底部に配置される光源部と、
入射開口部と出射開口部とで両端に開口した筒状の部材であって、前記出射開口部の開口縁部に全周に亘って外方へ突出する鍔状部が設けられ、前記器具本体の内部に配置される反射部材と、
前記光源部側に対向する第一面と前記第一面に背向する第二面とを有し、内周側面に全周に亘って内方に開口した溝を有する環状部と、自由端を有し、前記環状部の外周側面から外方に向かって立設した鍔部とが設けられた弾性を有するシール部材と、
前記出射開口部を塞ぎ、前記溝に嵌め込まれて前記器具本体の開口端部に配置される光学部材と、
両端が開口した筒状の部材であって、前記第二面側から前記シール部材を全周に亘って押さえて前記器具本体に取り付けられる枠体と、
を備える照明器具。
【請求項２】
前記開口端部において、全周に亘って第一段部と、前記第一段部に囲まれた第二段部とが設けられ、
前記反射部材は、前記第二段部において、前記鍔状部が全周に亘って前記シール部材に押さえられることで前記器具本体に取り付けられる
請求項１に記載の照明器具。
【請求項３】
前記シール部材は、前記第一面の全周に亘って突出部が設けられる
請求項１または請求項２に記載の照明器具。
【請求項４】
前記鍔部は、前記突出部が設けられた前記第一面寄りに設けられる
請求項３に記載の照明器具。
【請求項５】
前記鍔部の厚さは、前記環状部の厚さに比べて薄い
請求項１から４のいずれか１項に記載の照明器具。
【発明の詳細な説明】
【技術分野】
【０００１】
本発明は、透過性の光学部材を備える照明器具に関する。
【背景技術】
【０００２】
従来、埋込型の照明器具として、例えば、ダウンライトやスポットライトのように天井に埋込配設されて下方に光を照射する天井埋込型照明器具、あるいは、地中に埋込配設されて上方に光を照射する地中埋込型照明器具等が知られている。従来の埋込型照明器具として、例えば特許文献１には、ダウンライトに関する照明器具が開示されている。
【先行技術文献】
【特許文献】
【０００３】
【特許文献１】特開２０１１−２１０６２１号公報
【発明の概要】
【発明が解決しようとする課題】
【０００４】
一般に、従来のダウンライトに用いられる光学部材は、ゴム製のシール部材を介して反射部材に取り付けられる。シール部材は、光学部材外周側面を覆う形状であるが、各部材の寸法公差によって、上記した密着性および密閉性が十分に確保できない場合がある。
【０００５】
そこで、本発明は、シール部材を介して反射部材に対する光学部材の密着性および密閉性がより高い照明器具を提供する。
【課題を解決するための手段】
【０００６】
本発明に係る照明器具は、開口を有する有底筒状の器具本体と、器具本体の底部に配置される光源部と、入射開口部と出射開口部とで両端に開口した筒状の部材であって、出射開口部の開口縁部に全周に亘って外方へ突出する鍔状部が設けられ、器具本体の内部に配置される反射部材と、光源部側に対向する第一面と第一面に背向する第二面とを有し、内周側面に全周に亘って内方に開口した溝を有する環状部と、自由端を有し、環状部の外周側面から外方に向かって突出した鍔部とが設けられた弾性を有するシール部材と、出射開口部を塞ぎ、溝に嵌め込まれて器具本体の開口端部に配置される光学部材と、両端が開口した筒状の部材であって、第二面側からシール部材を全周に亘って押さえて器具本体に取り付けられる枠体と、を備える。
【発明の効果】
【０００７】
上記構成により、反射部材に対する光学部材の密着性および密閉性を向上することができる。
【図面の簡単な説明】
【０００８】
【図１】図１は、実施の形態に係る照明器具１００の分解斜視図である。
【図２】図２は、実施の形態に係る照明器具１００の断面図である。
【図３】図３は、実施の形態に係る照明器具１００の断面の要部拡大図である。
【図４】図４は、実施の形態に係る光学部材６とシール部材５と接続部分の断面図であり、（ａ）は実施の形態に係る断面図、（ｂ）、（ｃ）はシール部材の変形例を示す断面図である。
【発明を実施するための形態】
【０００９】
以下、本発明の実施の形態について、図面を参照しながら説明する。なお、以下に説明
する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
（実施の形態）
［１．構成］
まず、実施の形態に係る照明器具１００の構成について、図１から図３を参照して説明する。
【００１２】
図１は、本実施の形態に係る照明器具１００の分解斜視図である。
図２は、本実施の形態に係る反射部材４と光学部材６との分解斜視図である。
図３は、本実施の形態に係る照明器具１００の断面の要部拡大図である。
【００１３】
図１及び図２、図３に示されるように、照明器具１００は、器具本体１、光源部２、取付部材３、反射部材４、シール部材５、光学部材６、枠体７を備える。ＸＹＺ方向は各図に示されるように定義する。光源部２から出射される光の光軸Ｊ方向は鉛直方向（各図のＺ軸方向）である。以下、各構成要素について説明する。
【００１４】
［１−１．器具本体］
器具本体１は、開口を有し、内部で光源部２と反射部材４とを支持する有底筒状の部材である。本実施の形態では、器具本体１は、光源部２と反射部材４とを取り付ける取付台として機能する。器具本体１は、筒状部１１、光源支持部１２及び複数のフィン１３を備える。
【００１５】
筒状部１１は、Ｚ軸方向側に開口する有底筒状の部分である。筒状部１１の内部には、開口した開口端部１１１において、全周に亘って第一段部１４と、第一段部１４に囲まれた第二段部１５とが設けられる。このように、筒状部１１の内部は、シール部材５及び光学部材６を保持する第一段部１４と、反射部材４の鍔状部４５を保持する第二段部１５とを有する。
【００１６】
筒状部１１の具体的な形状について説明する。第一段部１４の内周形状は、シール部材５の外周形状と同程度である。第二段部１５の内周形状は、シール部材５の外周形状より小さく、反射部材４の鍔状部４５の外周形状と同程度である。また、第一段部１４におけるＺ軸方向の高さはシール部材５の厚さと同程度であり、第二段部１５におけるＺ軸方向の高さも鍔状部４５の厚さと同程度である。
【００１７】
筒状部１１のＺ軸方向側には、枠体７が取り付けられる。枠体７は、例えば、器具本体１にねじ（不図示）を用いて締結される。枠体７のＺ軸方向負側の枠体端部７４には、ねじ穴（不図示）が設けられており、ねじがねじ穴に捩じ込まれることによって、枠体７は器具本体１に取り付けられる。
【００１８】
光源支持部１２は、筒状部１１の底面に設けられた光源部２を支持する部分である。光源部２は、底面に配置され、取付部材３によって光源支持部１２に取り付けられる。光源支持部１２は、底面の平面のみで構成されていても、光源部２を搭載する一部分が窪んで
いても、または突出した形状であってもよい。その他に、底面のうちの光源部２を搭載する部分が光源部２と同形状に窪んだ形状であってもよい。
【００１９】
フィン１３は、光源部２の点灯によって発生した熱を放熱させる部分である。フィン１３は板状であり、器具本体１の外壁にＺ軸方向負側へ立設して複数設けられている。
【００２０】
器具本体１は、金属材料等の熱伝導率が高い材料を用いて形成されるとよい。例えば、器具本体１はアルミダイカスト工程を経て形成されることが好ましい。
【００２１】
［１−２．光源部］
光源部２は、発光素子を有する発光モジュールであって、発光素子は所定の光を放射状に出射する、例えばＬＥＤ（Ｌｉｇｈｔ  Ｅｍｉｔｔｉｎｇ  Ｄｅｖｉｃｅ）である。光源部２は、ＣＯＢ（Ｃｈｉｐ  Ｏｎ  Ｂｏａｒｄ）型ＬＥＤで構成され、基台２１と、発光部２２とを有する。発光部２２は、基台２１上に実装されたベアチップ（ＬＥＤチップ）である複数のＬＥＤチップと、それらＬＥＤチップを封止する封止部材とを有する。なお、本実施の形態では、封止部材は全てのＬＥＤチップを一括封止しているが、封止部材の構成はこれに限られない。例えば、ライン状に配列されたＬＥＤチップの配列方向に沿って複数本の封止部材がライン状に配置されていてもよい。
【００２２】
光源部２は取付部材３によって、器具本体１の光源支持部１２に取り付けられる。図１に示される光源部２から発せられる光は、光軸Ｊ方向（図１のＺ軸方向）に照射される。
【００２３】
基台２１は、複数のＬＥＤチップを実装するための実装基板であって、例えばセラミックス基板、樹脂基板又は絶縁被覆されたメタルベース基板などである。また、基台２１は、例えば平面視において矩形形状の平面を有する板状部材である。基台２１の底面が器具本体１に向けられて固定される。なお、基台２１には、ＬＥＤチップを発光させるため、直流電力を電源部から受電するための一対の電極端子２３（正電極端子及び負電極端子）が設けられている。
【００２４】
［１−３．取付部材］
取付部材３は、光源部２を器具本体１に取り付けるための部材である。
【００２５】
取付部材３は、本実施の形態では、規制部３１と第一の係止部３２とを有する。
【００２６】
規制部３１は、光源部２のＸ軸及びＹ軸方向の位置を規制する。規制部３１は中央に開口部３３を有する矩形枠状であり、絶縁樹脂材料からなる。
開口部３３は、光源部２の基台２１に対応する形状を有する。開口部３３に光源部２が嵌め込まれて配置される。
【００２７】
また、規制部３１には器具本体１の光源支持部１２に取り付けるためのねじ貫通孔（不図示）が設けられており、ねじがねじ貫通孔に貫通させることによって、取付部材３が光源部２を保持して、器具本体１に取り付けられる。
【００２８】
また、取付部材３には、光源部２を支持するだけでなく、通電用のコネクタとしても機能する接続部材３４が２つ設けられる。接続部材３４は、絶縁樹脂製の接続本体部と、接続本体部に固定された電極部を有する。一方の接続部材３４には高電位側の配線が、他方の接続部材３４には低電位の配線がそれぞれ電気的に接続される。電極部は、金属などの導電性材料を用いて形成されることが好ましい。電極部は折り曲げ加工を施すことで形成され、光源部２に設けられた一対の電極端子２３にそれぞれ接触して取り付けられる。
【００２９】
接続部材３４は、取付部材３を介して器具本体１にねじ止め固定された際に、金属板が弾性変形する。この弾性変形によって、コネクタ部は、光源部２の電極端子２３を付勢して電気的に接続される。
【００３０】
［１−４．反射部材］
図２に示されるように、反射部材４は、光源部２からの光を光学部材６に向けて反射させる部材である。反射部材４は、入射開口部４１と出射開口部４２とで両端に開口した筒状の形状である。入射開口部４１は、光源部２を囲むように形成されている。出射開口部４２は、入射開口部４１の内径よりも大きくなっている。反射部材４の内面は、光源部２から光を反射させる反射面となっている。
【００３１】
器具本体１内に配置される反射部材４は、中央部４３、立設部４４及び鍔状部４５とから構成される。
【００３２】
中央部４３は、入射開口部４１と出射開口部４２とが設けられ、内径及び外径が入射開口部４１から出射開口部４２に向けて次第に大きくなるように構成された筒状の形状を有する。反射部材４は、入射開口部４１の内径が光源部２を取り囲むようにして、取付部材３に取り付けられる。
【００３３】
光源部２から放射された光は入射開口部４１から入射し、中央部４３の内壁面において反射され、出射開口部４２から出射される。
【００３４】
鍔状部４５は、出射開口部４２の開口縁部分に全周にわたって外方へ突出する環状形状を有する部材である。
【００３５】
立設部４４は、鍔状部４５の光源部２側に配置され、Ｚ軸方向の反対方向に立設されている。立設部４４には、取付部材３に設けられた係止部３２に対応する被係止貫通孔４４１が設けられている。取付部材３に設けられた第一の係止部３２が第一の被係止貫通孔４４１に接続されることで、反射部材４が取付部材３を介して器具本体１に取り付けられる。また、反射部材４は、入射開口部４１の内部で光源部２を取り囲むようにして、取付部材３に取り付けられる。
【００３６】
反射部材４は、例えばポリブチレンテレフタラート（ＰＢＴ）、ポリカーボネートなど、白色樹脂材料を用いて形成される。
【００３７】
［１−５．シール部材］
シール部材５は、光学部材６を器具本体１に取り付ける際に用いられる弾性を有する部材である。すなわち、シール部材５は、シリコーン樹脂などの弾性変形可能な素材から形成されている。
【００３８】
図１及び図２に示されるように、シール部材５は、環状部５１と鍔部５２とを備える。
【００３９】
環状部５１は、光源側に第一面５１１と、第一面５１１に背向する第二面５１２とを有する環状形状の部分である。環状部５１の内周側面は、全周に亘って内方に開口した溝５３を有する。溝５３に光学部材６の外周端部６３が嵌め込まれている。すなわち、外周端部６３は、全周に亘って、溝５３に嵌め込まれている。器具本体１の第一段部１４に取り付けられることによって、器具本体１に光学部材６が固定される。
【００４０】
環状部５１の内径は、出射開口部４２の内径よりも大きく、反射部材４の外周よりも小さい。また、環状部５１の外径は、第一段部１４の内径と同程度であることが好ましい。
環状部５１のＺ軸方向における厚さは、第一段部１４のＺ軸方向における高さと同程度であることが好ましい。
【００４１】
また、環状部５１の第一面５１１には、好ましくは、全周に亘って、山型で円環形状の突出部５４が設けられる。突出部５４の内径は、第二段部１５の内径よりも大きく、第一面５１１の内径寄りに設けられることが好ましい。
【００４２】
鍔部５２は、環状部５１の外周側面から外方（図２のＪ軸の垂直平面方向）に向かって立設した環状形状を有する部分である。鍔部５２の外周端部は、自由端である。鍔部５２は、環状部５１のＺ軸方向の厚さにおいて、突出部５４が設けられた第一面５１１寄りに設けられていることが好ましい。また、鍔部５２のＺ軸方向の厚さは、環状部５１の厚さに比べて薄い（例えば、環状部５１の厚さの半分以下である）ことが好ましい。また、鍔部５２は、均一な厚さで環状部５１から垂直に立設しているが、鍔部５２の自由端がＺ軸方向に屈曲できる形状であれば、鍔部５２と環状部５１との接合部分は円弧が設けられていてもかまわない。例えば、図４に示されるように、鍔部５２と環状部５１との接合部における形状例がある。図４の（ａ）は、本実施の形態における接合部の形状である。（ｂ）は、鍔部５２と環状部５１の接合部に曲面を有する形状である。（ｃ）は、鍔部５２と環状部５１の接合部に凹部が設けられている形状である。接合部は、図４に示される形状に限定されるものではなく、鍔部５２が屈曲できる形状であれば、形状は問わない。
【００４３】
鍔部５２のＺ軸の垂直方向の長さは、鍔部５２はＺ軸方向に屈曲させた際、器具本体１の筒状部１１における第一段部１４のＺ軸方向の長さより短いことが好ましい。
【００４４】
シール部材５の係止構成については、後で説明する。
【００４５】
［１−６．光学部材］
光学部材６は、光源部２から出射された光が入射される透過性の部材であって、出射開口部４２を覆うように配置される。本実施の形態において、光学部材６は、配光制御部６１とフランジ部６２とを備える。
【００４６】
配光制御部６１は、光源部２側から入射した光の配光を制御し、出射する機能を有する。配光制御部６１は、Ｚ軸方向に向かって突出するように湾曲し、枠体７内部に向かって膨出するように形成されていることが好ましい。また、光入射面（Ｚ軸方向負側）には、ディンプル加工が施されている。光出射面（Ｚ軸方向側）には同心円状に配置された複数のプリズムからなるフレネルレンズが形成されている。これによって、出射する光を拡散させることができ、光の照度ムラ及び色ムラを抑制することができ、均一に被照射物を照らすことができる。
【００４７】
フランジ部６２は、光学部材６の光が入射する側の端部に円環状に配置され、光学部材６と反射部材４とをシール部材５を介して器具本体１に接続する部分である。フランジ部６２の外径は、第一段部１４の内径より小さく、第二段部１５の内径と同程度であることが好ましい。
【００４８】
光学部材６は透過性材料を用いて形成されており、例えばフレネルレンズやＰＭＭＡ（アクリル）、ポリカーブネートなどの透明樹脂素材、又は、ガラス材料などの透光材料を用いて形成されることが好ましい。
【００４９】
なお、光学部材６は、配光制御機能や光拡散機能を有しているものであれば、平板状の平面パネルであってもよい。
【００５０】
［１−７．枠体］
枠体７は、光学部材６から出射される光を反射させる両端に開口した筒形状の枠部材である。枠体７は、枠体本体部７１と補助反射部７２と取付部７３を備える。
なお、枠体７は、図１及び３に示されるように、器具本体１のＺ軸方向側の端面と接している。
【００５１】
枠体本体部７１は筒状の部材であり、Ｚ軸方向負側の端部は、器具本体１の筒状部１１と同じ程度の外径を有する。枠体本体部７１のＺ軸方向負側の端部と器具本体１のＺ軸方向側の端部とが、例えば、ねじ止めによって固定される。枠体本体部７１は、例えばアルミニウムなどの金属で形成される。
【００５２】
また、枠体本体部７１のＺ軸方向負側の枠体端部は、器具本体１とシール部材５とを固定する形状を有する。本実施の形態においては、枠体端部７４の内径が第一段部１４の内径よりも中心方向へ突出しており、枠体端部７４が器具本体１とシール部材５とをＺ軸方向から押えることによって、固定される形状である。
【００５３】
補助反射部７２は、枠体本体部７１の内周面に沿って形成される筒状の部材である。補助反射部７２の内周面は補助反射面を有し、光学部材６から入射される光の配光制御を行う機能を有する。補助反射部７２は、例えばアルミニウムなどの薄い金属板で形成されている。補助反射部７２はＺ軸方向負側の開口部を、枠体本体部７１におけるＺ軸方向負側の開口部にかしめることにより、枠体本体部７１に取り付けられる。また、補助反射部７２は、Ｚ軸方向負側の開口部が配光制御部６１を取り囲み、枠体本体部７１を介して器具本体１に取り付けられる。
【００５４】
取付部７３は、照明器具１００を天井などに取り付けるための弾性部材である。本実施の形態では、三つの取付部７３が枠体本体部７１の外周に設けられる。取付部７３は、例えば鉄などの金属で形成される。
【００５５】
［２．係止構成］
続いて、図１から図３を参照して、本実施の形態に係る構成要素間の係止構成について説明する。
【００５６】
［２−１．器具本体と反射部材の係止構成］
器具本体１と反射部材４の係止構成を説明する。
【００５７】
図２及び図３に示されるように、器具本体１の底部には、光源部２が取り付けられる。具体的には、光源部２は、取付部材３の開口部に嵌め込まれ、取付部材３は接続部材３４を介して、器具本体１の光源支持部１２にねじ止めされる。
【００５８】
反射部材４の入射開口部４１は、図２に示されるように、取り付けられた光源部２を取り囲んで器具本体１に取り付けられる。
【００５９】
反射部材４は、取付部材３に設けられた係止部３２が、反射部材４に設けられた被係止貫通孔４４１に挿入されることによって、器具本体１に係止される。器具本体１と反射部材４の係止において、反射部材４の入射開口部４１は器具本体１の開口内部で基台２１を取り囲んで係止される。
【００６０】
具体的には、取付部材３に設けられた係止部３２が、反射部材４の立設部４４に設けられた被係止貫通孔４４１に挿入され、支持される。その際、光源部２は反射部材４の入射開口部４１の径内に収められる。
【００６１】
反射部材４の鍔状部４５の外周端部４６は、器具本体１の第二段部１５に嵌め込まれて取り付けられる。
【００６２】
［２−２．器具本体と光学部材との間の係止構成］
図３を参照して、器具本体１とシール部材５との係止構成について説明する。
光学部材６は、弾性を有するシール部材５を介して、器具本体１に取り付けられる。
具体的には、光学部材６の外周端部６３がシール部材５の溝５３に嵌め込まれる。シール部材５が器具本体１の第一段部１４に嵌め込まれることで、光学部材６は器具本体１に取り付けられる。
【００６３】
この時、シール部材５に設けられる鍔部５２の外周縁はＺ軸垂直方向からＺ軸方向に弾性変形し、屈曲した状態で保持される。このように第一段部１４に嵌め込まれると、鍔部５２はＺ軸垂直方向に復元力が働き、シール部材５は、器具本体１に圧接して配置される。これにより、光学部材６の寸法公差による隙間があったとしても、鍔部５２の弾性変形により、隙間に対応して取り付けることができるので、がたつきなく取り付けることができる。また、復元力によって光学部材６が器具本体１に仮保持することができるので、組み立てる際、枠体７に固定される前であっても光学部材が落下しにくくなる。
【００６４】
さらに、シール部材５の第一面５１１には突出部５４が設けられる。光学部材６の外周縁がシール部材５の溝５３に嵌め込まれて取り付けられた際、突出部５４は、鍔状部４５の光学部材６と対向する面と接して配置される。鍔部５２の復元力によって、突出部５４はＺ軸方向負側に力が働き、器具本体１と反射部材４とをＺ軸方向において圧接させることができる。これにより、反射部材４と器具本体１の寸法公差による隙間も、がたつきなく取り付けることができる。
【００６５】
また、シール部材５は、枠体７の枠体端部によってＺ軸方向負側に、ねじ止めされることで、器具本体１にシール部材５が固定される。
【００６６】
この係止構成によって、シール部材５の鍔部５２は、弾性変形して屈曲した状態で反射部材４と光学部材６に取り付けられる。屈曲した鍔部５２により、Ｚ軸垂直方向に弾性変形による復元力が働く。復元力によって、シール部材５は光学部材６を保持したまま、器具本体１の第一段部１４に圧接して取り付けられる。また、反射部材４は、環状部５１に設けられた突出部５４を介して、光学部材６と圧接して取り付けられる。したがって、シール部材５によって、反射部材４に対する光学部材６の密着性及び密閉性を向上させることができ、反射部材４に対する光学部材の保持力を高めることができる。また、復元力の反作用効果及び弾性部材の滑り止め効果によっても、密着性及び密閉性を高めることができる。また、密着性及び密閉性の向上により、隙間を無くすことができるので、照明器具１００内部への防虫や防水効果も期待される。
【００６７】
［４．効果など］
以上、本実施の形態における照明器具１００は、開口を有する有底筒状の器具本体１と、器具本体１の底部に配置される光源部２と、入射開口部４１と出射開口部４２とで両端に開口した筒状の部材であって、出射開口部４２の開口縁部に全周に亘って外方へ突出する鍔状部４５が設けられ、器具本体１の内部に配置される反射部材４と、光源部２側に対向する第一面５１１と第一面５１１に背向する第二面５１２とを有し、内周側面に全周に亘って内方に開口した溝５３を有する環状部５１と、自由端を有し、環状部５１の外周側面から外方に向かって立設した鍔部５２とが設けられた弾性を有するシール部材５と、出射開口部４２を塞ぎ、溝５３に嵌め込まれて器具本体１の開口端部１１１に配置される光学部材６と、両端が開口した筒状の部材であって、第二面５１２側からシール部材５を全
周に亘って押さえて器具本体１に取り付けられる枠体７と、を備える。
【００６８】
これにより、光学部材６がシール部材５を介して第一段部１４に嵌め込まれた際、シール部材５の鍔部５２の復元力により、器具本体１に対する光学部材６の密着性及び密閉性と向上させることができる。そのため、各部材の寸法公差によるがたつきを防ぎ、反射部材４に対する光学部材６の保持力を高めることができる。また、防虫・防水効果も期待される。
【００６９】
また、開口端部１１１において、全周に亘って第一段部１４と、第一段部１４に囲まれた第二段部１５とが設けられ、反射部材４は、第二段部１５において、鍔状部４５が全周に亘ってシール部材５に押さえられることで器具本体１に取り付けられることが好ましい。
【００７０】
これにより、反射部材４は、シール部材５によって器具本体１に圧接して取り付けられるので、締結部材を用いずに、取り付けることが可能である。
【００７１】
また、シール部材５は、第一面５１１の全周に亘って突出部５４が設けられることが好ましい。
【００７２】
これにより、シール部材５は、第一段部１４に嵌め込まれた際、Ｚ軸方向負側にも復元力が働くので、器具本体１に対する反射部材４の密着性及び密閉性をより向上することができる。
【００７３】
また、鍔部５２は、突出部５４が設けられた第一面５１１寄りに設けられることが好ましい。
【００７４】
また、鍔部５２の厚さは、環状部５１の厚さに比べて薄いことが好ましい。
【００７５】
これにより、鍔部５２は、第一段部１４に確実に屈曲して嵌め込まれ、復元力を作用させることができる。
【００７６】
以上より、環状部５１の第一面５１１に突出部５４を設けることにより、反射部材４を器具本体１により強く圧接することができるので、寸法公差によるばらつきがあったとしても、反射部材４と光学部材６とががたつくことは少なくなる。
【００７７】
（変形例など）
以上、本発明に係る照明器具１００について、実施の形態に基づいて説明したが、本発明は、これらの実施の形態に限定されるものではない。
【００７８】
例えば、上記実施の形態では、光学部材６は、フレネルレンズを用いて説明したが、光学部材６はこれに限定されない。光学部材６は、例えば、ハイブリッドレンズ、ドーム型レンズ、平板などでもよい。
【００７９】
また、各構成部材における寸法は実施の形態に限るものではない。
【００８０】
また、上記実施の形態においては、光源部２において、ＣＯＢ型ＬＥＤを用いたが、他の発光素子を用いてもよい。例えば、ＳＭＤ（Ｓｕｒｆａｃｅ  Ｍｏｕｎｔ  Ｄｅｖｉｃｅ）型ＬＥＤを用いてもよい。また、有機ＥＬ（Ｅｌｅｃｔｒｏ  Ｌｕｍｉｎｅｓｃｅｎｃｅ）素子など他の固体発光素子、又は、固体発光素子以外の他の光源を用いてもよい。
【００８１】
また、反射部材４は、入射開口部４１から入射した光を反射したものを出射開口部４２へ導くとしたが、光学部材６で跳ね返った光を反射させ再度出射開口部４２へ導いてもよい。
【００８２】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【００８３】
１  器具本体
１４  第一段部
１５  第二段部
１１１  開口端部
２  光源部
４  反射部材
４１  入射開口部
４２  出射開口部
４５  鍔状部
５  シール部材
５１  環状部
５２  鍔部
５３  溝
５４  突出部
５１１  第一面
５１２  第二面
６  光学部材
７  枠体
【図１】
0006704116.tif 000002
【図２】
0006704116.tif 000003
【図３】
0006704116.tif 000004
【図４】
0006704116.tif 000005